(57)【要約】【課題】テレビ放送のコンテンツの種別に応じて、テレビ放送の再生形式を自動で設定するテレビ放送受信機能付き携帯端末を提供する。【解決手段】テレビチューナー部１０１が、テレビ放送信号を受信する。判別部１０４は、記憶部１０３の電子番組ガイド情報を参照し、表示部１０６で再生するテレビ放送のチャンネル、日時の情報からテレビ放送のジャンルを判別する。制御部１０５は、判別部１０４が判別したテレビ放送のジャンルに応じて、記憶部１０３の再生形式テーブルを参照し、ジャンルに応じた再生設定でテレビチューナー部１０１が受信したテレビ放送を表示部１０６で再生する。【選択図】図１
2007194910.tif 000002
【特許請求の範囲】
【請求項１】
テレビ放送のコンテンツを受信し、受信したコンテンツを設定された再生形式で再生する再生手段と、
再生対象のコンテンツの種別を判別する判別手段と、
コンテンツの種別とその種別のコンテンツの再生形式とを対応付ける情報を記憶した記憶手段と、
前記再生手段の再生形式を、前記記憶手段の記憶情報に基づいて、前記判別手段が判別したコンテンツの種別に対応する再生形式に設定する再生形式設定手段と、
を備えることを特徴とするテレビ放送受信機能付き携帯端末。
【請求項２】
前記判別手段は、再生対象のコンテンツの種別の切り替わりを検出し、
前記再生形式設定手段は、前記判別手段が再生対象のコンテンツの種別の切り替わりを検出すると、前記再生手段の再生形式を、前記記憶手段の記憶情報に基づいて、切り替わったコンテンツの種別に対応する再生形式に設定する、
ことを特徴とする請求項１に記載のテレビ放送受信機能付き携帯端末。
【請求項３】
ユーザの操作に従ってコンテンツの種別とその再生形式を対応付ける情報を前記記憶手段に格納する手段をさらに備えることを特徴とする１又は２に記載のテレビ放送受信機能付き携帯端末。
【請求項４】
ユーザが前記記憶手段に設定したコンテンツの種別の再生形式を、デフォルトの再生形式に初期化する手段をさらに備えることを特徴とする請求項３に記載のテレビ放送受信機能付き携帯端末。
【請求項５】
前記判別手段は、コンテンツの種別情報を持つ電子番組ガイド情報を取得する手段をさらに有し、取得した電子番組ガイド情報に基づいてコンテンツの種別を判別することを特徴とする請求項１乃至４のいずれか１項に記載のテレビ放送受信機能付き携帯端末。
【請求項６】
前記再生形式設定手段は、前記再生手段がテレビ放送の再生を終えると、前記再生形式設定手段が設定した再生形式を、予め設定されているデフォルトの再生形式に初期化することを特徴とする請求項１乃至５のいずれか１項に記載のテレビ放送受信機能付き携帯端末。
【請求項７】
前記再生手段は、コンテンツをその種別に対応する再生形式で再生するモードと、コンテンツを種別によらず、デフォルトの再生形式で再生するモードと、を備え、
前記再生手段の再生モードを切り替える手段をさらに備えることを特徴とする請求項１乃至６のいずれか１項に記載のテレビ放送受信機能付き携帯端末。
【発明の詳細な説明】
【技術分野】
【０００１】
本発明は、テレビ放送のコンテンツの種別に応じて設定を自動で変更できるテレビ放送受信機能付き携帯端末に関する。
【背景技術】
【０００２】
近年、携帯電話をはじめとする携帯端末で、テレビを視聴できるようになっている。また、携帯端末向けの地上波デジタル放送も開始するため、さらに普及すると考えられる。
【０００３】
携帯端末は、画面サイズが比較的小さく、バッテリでの長時間駆動が望まれ、さらに、使用者の移動に伴って使用環境が変化する等の設置型のテレビ受像器とは異なる課題を有する。このような課題に鑑み、光センサを用いて使用環境の明度を測定し、明度に応じて、画面の輝度を自動で変更する携帯端末が提案されている（例えば、特許文献１）。この技術によれば、画面をある程度見やすくできるが、携帯端末に固有の課題を解決するに十分ではない。
【０００４】
例えば、携帯端末の物理画面は、通常縦長に構成されているが、テレビの表示画像は横長に構成される。このため、画面に標準的にテレビ画像を表示すると、画像が小さくなって見づらくなる等の問題がある。画像を９０°回転して表示すること等も可能ではあるが、切り替えや設定の操作が煩雑である。また、携帯端末は、バッテリで長時間駆動できることが望まれるが、テレビ放送の内容によっては、大画面や明るい画像が必要ないことも多い。しかし、従来では、バックライトのオン・オフや、画像サイズの変更はユーザ自身が行わなければならず、操作が煩雑であった。このため、再生形式を自動的に適切に設定する技術が望まれる。
【特許文献１】特開２０００−２４２２１３号公報
【発明の開示】
【発明が解決しようとする課題】
【０００５】
本発明は、上記実情に鑑みてなされたもので、適切な表示形態が自動的に選択設定可能なテレビ放送受信機能付き携帯端末を提供することを目的とする。
また、本発明は、携帯端末に適した表示形態を自動設定可能な提供することを目的とする。
また、本発明は、コンテンツの種別に応じて、再生形式を自動で設定するテレビ放送受信機能付き携帯端末を提供することを目的とする。
【課題を解決するための手段】
【０００６】
本発明のテレビ放送受信機能付き携帯端末は、
テレビ放送のコンテンツを受信し、受信したコンテンツを設定された再生形式で再生する再生手段と、
再生対象のコンテンツの種別を判別する判別手段と、
コンテンツの種別とその種別のコンテンツの再生形式とを対応付ける情報を記憶した記憶手段と、
前記再生手段の再生形式を、前記記憶手段の記憶情報に基づいて、前記判別手段が判別したコンテンツの種別に対応する再生形式に設定する再生形式設定手段と、
を備えることを特徴とする。
【０００７】
例えば、前記判別手段は、再生対象のコンテンツの種別の切り替わりを検出し、
前記再生形式設定手段は、前記判別手段が再生対象のコンテンツの種別の切り替わりを検出すると、前記再生手段の再生形式を、前記記憶手段の記憶情報に基づいて、切り替わったコンテンツの種別に対応する再生形式に設定してもよい。
【０００８】
例えば、ユーザの操作に従ってコンテンツの種別とその再生形式を対応付ける情報を前記記憶手段に格納する手段を配置してもよい。
【０００９】
例えば、ユーザが前記記憶手段に設定したコンテンツの種別の再生形式を、デフォルトの再生形式に初期化する手段をさらに備えてもよい。
【００１０】
例えば、前記判別手段は、コンテンツの種別情報を持つ電子番組ガイド情報を取得する手段をさらに有し、取得した電子番組ガイド情報によりコンテンツの種別を判別してもよい。
【００１１】
例えば、前記再生形式設定手段は、前記再生手段がテレビ放送の再生を終えると、前記再生形式設定手段が設定した再生形式を、予め設定されているデフォルトの再生形式に初期化してもよい。
【００１２】
例えば、前記再生手段は、コンテンツをその種別に対応する再生形式で再生するモードと、コンテンツを種別によらず、デフォルトの再生形式で再生するモードと、を備え、
前記再生手段の再生モードを切り替える手段をさらに備えてもよい。
【発明の効果】
【００１３】
本発明によれば、テレビ放送のコンテンツの種別に応じて、テレビ放送の再生形式を自動で設定することが可能となり、ユーザの利便性が向上する。
【発明を実施するための最良の形態】
【００１４】
本発明の実施形態に係る携帯端末１００について、図面を参照して説明する。
【００１５】
本実施形態に係る携帯端末１００は、テレビ放送を受信し、再生する機能を有する。テレビ放送の再生には、ジャンルに応じた形式で再生するモードと通常再生するモードとの２つの再生モードがある。
携帯端末１００は、図１に示すように、テレビチューナー部１０１と、通信部１０２と、記憶部１０３と、判別部１０４と、制御部１０５と、表示部１０６と、入力部１０７と、から構成される。
【００１６】
テレビチューナー部１０１は、制御部１０５の指示に従って、任意のチャンネルのテレビ放送信号を受信する。そして、受信したテレビ放送信号を表示部１０６で再生可能な形式にデコードする。
【００１７】
通信部１０２は、制御部１０５の制御に従って、携帯端末１００の通話機能を実現する。また、インターネットに接続し、インターネットから電子番組ガイド情報Ｇを受信する。
【００１８】
電子番組ガイド情報Ｇは図５に示すような、日付と時刻とチャンネルと番組のジャンルとの情報を含む番組表の電子データである。
【００１９】
記憶部１０３は、制御部１０５の動作を制御するためのプログラムを記憶する。また、通信部１０２が入手した電子番組ガイド情報Ｇを記憶する。また、テレビ放送のジャンルに応じた再生形式を定義した再生形式テーブルＴを記憶する。また、ジャンルに応じた形式で再生するモードと通常再生するモードを判別するためのモードフラグＦを記憶する。モードフラグＦには、再生形式自動設定モードを示すフラグと通常再生モードを示すフラグとがある。
【００２０】
再生形式テーブルＴは、図４に示すように、ジャンルに応じて表示画面の明るさ、バックライトの点灯、音量、音響の種別（モノラル、ステレオ、サラウンド）、ユーザインターフェイスを定義したテーブルである。
【００２１】
ここでいうユーザインターフェイスとは、表示部１０６でユーザにテレビ放送を提供する際の表示形式である。
例えば、図６（ａ）に示すように、表示部１０６を、縦長方向を利用してテレビ放送を表示する部位５０１とデータ放送や字幕を表示する部位５０２とに分割して表示する形式や、図６（ｂ）に示すように、表示部１０６に、テレビ放送を表示する部位６０１を横長方向に全画面表示し、データ放送や字幕を表示する部位６０２を重ねて表示する形式である。
【００２２】
再生形式テーブルＴのジャンル毎の再生形式は、ユーザの入力部１０７からの操作によって登録・変更できる。また、再生形式テーブルＴは、ジャンル毎の再生形式以外に、テレビ放送再生時以外の携帯端末１００の設定である基本設定を記憶する。基本設定もまたユーザにより登録・変更できる。基本設定は、指示されていないジャンルの再生の際に用いる。
【００２３】
判別部１０４は、記憶部１０３の電子番組ガイド情報Ｇを参照し、表示部１０６で再生するテレビ放送のチャンネル、日時の情報からテレビ放送のジャンルを判別する。
【００２４】
制御部１０５は、判別部１０４が判別したテレビ放送のジャンルに応じて、記憶部１０３の再生形式テーブルＴを参照し、ジャンルに応じた再生設定でテレビチューナー部１０１が受信したテレビ放送を表示部１０６で再生する。また、制御部１０５は、通信部１０２を制御して電子番組ガイド情報Ｇを取得させて記憶部１０３に記憶させる。
【００２５】
また、制御部１０５は、ユーザが入力部１０７から再生形式の初期化を入力すると、記憶部１０３の再生形式テーブルＴの基本設定を参照し、携帯端末１００の設定を基本設定に初期化する。また、テレビ放送再生終了時にも、同様に基本設定に初期化する。
【００２６】
表示部１０６は、時計や電波状況や通話機能に必要な情報等を表示する。また、制御部１０５の制御のもと、テレビチューナー部１０１が受信したテレビ放送を再生する。
【００２７】
入力部１０７によってユーザがテレビ放送のジャンルと対応した再生形式と（再生形式テーブルＴ）を登録・変更する。また、入力部１０７によって、テレビ放送再生の終了を入力する。そして、入力部１０７によって、再生形式自動設定モードと通常再生モードとを切り替えることができる。
また、入力部１０７によってユーザが通話に必要な情報を入力する。
【００２８】
次に、上記構成の携帯端末１００がテレビ放送のジャンルに応じた形式で再生する動作を、図面を参照しながら説明する。
【００２９】
ユーザが携帯端末１００の入力部１０７からテレビ放送を視聴するための操作をすると、テレビチューナー部１０１がユーザに指示されたチャンネルのテレビ放送信号を受信する。そして、受信したテレビ放送信号をデコードする。制御部１０５は、表示部１０６でテレビチューナー部１０１がデコードしたテレビ放送を、ジャンルに対応した形式で再生するため、図２に示す受信再生処理を実行する。
【００３０】
先ず、制御部１０５は、記憶部１０３を参照し、現在日時に対応する電子番組ガイド情報Ｇが記憶されているか否かを判別する（ステップＳ２０１）。
【００３１】
現在日時に対応する電子番組ガイド情報Ｇが記憶されていない場合（ステップＳ２０１；Ｎｏ）、制御部１０５は、通信部１０２を制御してインターネットから現在日時の電子番組ガイド情報Ｇを取得し、記憶部１０３に記憶する（ステップＳ２０２）。
【００３２】
現在日時に対応する電子番組ガイド情報Ｇを記憶している場合（ステップＳ２０１；Ｙｅｓ）、又はステップＳ２０２で取得すると、制御部１０５は、再生形式自動設定モードが選択されているか否かを判別する（ステップＳ２０３）。制御部１０５は、記憶部１０３のモードフラグＦを参照して判別する。
【００３３】
再生形式自動設定モードが選択されている場合（ステップＳ２０３；Ｙｅｓ）、制御部１０５は、判別部１０４を制御して記憶部１０３に記憶した電子番組ガイド情報Ｇから再生するテレビ放送のジャンルを判別する（ステップＳ２０４）。
【００３４】
ステップＳ２０４で、ジャンルを判別すると、制御部１０５は記憶部１０３の再生形式テーブルＴを参照する（ステップＳ２０５）。
【００３５】
そして、制御部１０５は、ジャンルに対応した再生形式テーブルＴの形式でテレビ放送を再生する（ステップＳ２０６）。
【００３６】
一方、再生形式自動設定モードが選択されていない場合は（ステップＳ２０３；Ｎｏ）、再生形式テーブルＴの基本設定でテレビ放送を再生する（ステップＳ２０７）。
【００３７】
そして、ユーザによりテレビ放送受信が終了する操作がされたか否かを判別する（ステップＳ２０８）。
テレビ放送受信が続いている場合（ステップＳ２０８；Ｎｏ）、テレビ放送の再生を続け、ジャンルに応じて再生形式を変更するため、ステップＳ２０３に処理を戻す。
【００３８】
テレビ放送受信が終了された場合（ステップＳ２０８；Ｙｅｓ）、テレビ放送受信開始前の設定（基本設定）に戻し、表示部１０６に待ち受け画面を表示させる。（ステップＳ２０９）。
【００３９】
以上で、テレビ放送のジャンルに対応した形式で再生する受信再生処理を終了する。
【００４０】
具体例として、携帯端末１００に再生形式自動設定モードが選択されており、電子番組ガイド情報Ｇを記憶されていない状態で、１月１日の２１時に６ｃｈをユーザが視聴を開始すると、制御部１０５は図５に示す電子番組ガイド情報Ｇを取得し、再生形式記憶部１０３に記憶する（ステップＳ２０１；Ｎｏ、ステップＳ２０２）。そして、再生形式自動設定モードを判別し（ステップＳ２０３；Ｙｅｓ）、判別部１０４が電子番組ガイド情報Ｇから番組のジャンルを判別する（ステップＳ２０４）。ジャンルは「音楽」と判別され、制御部１０５は記憶部１０３の再生形式テーブルＴの「音楽」を参照し（ステップＳ２０５）、携帯端末１００の設定を、明るさを「５」、バックライトを「オフ」、音量を「１５」、音響を「サラウンド」、ユーザインターフェイスを「音楽」にそれぞれ設定してテレビ放送を再生する（ステップＳ２０６）。
【００４１】
続いて、ユーザが６ｃｈの視聴を続け、上記と同様にジャンルを判別され（ステップＳ２０４）、「バラエティー」と判別され、設定が明るさを「３」、バックライトを「常にオン」、音量を「７」、音響を「ステレオ」、ユーザインターフェイスを「標準」にそれぞれ自動設定する（ステップＳ２０６）。
【００４２】
以上のように、再生する番組のジャンルに応じて、携帯端末１００の設定を自動で変更することができる。
【００４３】
また、ユーザは任意のタイミングで、再生モードを変更できる。再生モードを変更する動作を説明する。
ユーザによる入力部１０７の所定の操作で、再生モードの変更が指示されると、図３に示すモード変更処理を実行する。
【００４４】
先ず、制御部１０５は、記憶部１０３のモードフラグＦを参照し、現在のモードが再生形式自動設定モードであるか否か判別する（ステップＳ３０１）。
【００４５】
現在のモードが再生形式自動設定モードであった場合（ステップＳ３０１；Ｙｅｓ）、通常再生モードを示すモードフラグＦにリセットする（ステップＳ３０２）。
【００４６】
現在のモードが通常再生モードであった場合（ステップＳ３０１；Ｎｏ）、再生形式自動設定モードを示すモードフラグＦをセットする（ステップＳ３０３）。
【００４７】
以上により、ユーザは再生モードを変更することができ、ユーザ所望の再生モードでテレビ放送を視聴することができる。
【００４８】
次に、図４に示す再生形式テーブルＴを登録・変更する動作を説明する。
ユーザが、入力部１０７により、自動設定する再生形式を登録・変更する操作をすると、制御部１０５は記憶部１０３の再生形式テーブルＴを書き換える。
以上のように、ジャンルに応じてユーザ所望の再生形式でテレビ放送を視聴することができる。また、ジャンルによってバックライトを切ったり、明るさを抑える等、設定によっては消費電力を抑えることもできる。
この際、図８のように、再生形式テーブルＴの各設定値の工場出荷時の初期設定を記憶部１０３に記憶する。この初期設定を参照することによって、ユーザが所望する場合に、変更した設定値を初期化することができる。これにより、ユーザの利便性が向上する。
【００４９】
なお、この発明は上記実施形態に限定されず、種々の変形及び応用が可能である。
【００５０】
上記実施形態の再生形式テーブルＴの各設定値の初期設定を図８のように、記憶部１０３に記憶しておき、ユーザが所定の操作により、変更した設定値を図８に示す初期設定に初期化できるようにしてもよい。
【００５１】
上記実施形態の再生形式テーブルＴは一例であり、自動設定する項目を増やしたり、自動設定するジャンルを増やしてもよい。
【００５２】
また、テレビ放送のジャンルを判別し、ジャンルに応じて再生形式を変更していたが、図７（ａ）に示すように特定の番組名毎に設定を変更するようにしたり、図７（ｂ）に示すように特定の出演者が出る番組毎に再生形式を変更するようにしてもよい。
その場合は、判別部１０４は番組名や出演者名を判別する。図７（ａ）の例では、例えば、番組名Ａを判別すると、明るさ「５」、バックライト「常にオン」、音量「１５」、音響「ステレオ」、ユーザインターフェイス「標準」に再生形式が変更される。また、図７（ｂ）の例では、例えば、出演者Ｂを判別すると、明るさ「６」、バックライト「常にオン」、音量「１５」、音響「ステレオ」、ユーザインターフェイス「映画」に再生形式が変更される。
【００５３】
テレビチューナー部１０１が受信するテレビ放送は、アナログであっても地上波デジタル放送であってもよい。
【００５４】
上記実施形態では、電子番組ガイド情報Ｇをインターネットから取得していたが、テレビ放送波や電話通信から取得してもよい。テレビチューナー部１０１が受信するテレビ放送が地上波デジタル放送であれば、テレビ放送波から取得することができる。また、テレビ放送の種別を判別できるものであれば、電子番組ガイド情報Ｇ以外のデータを取得するようにしてもよい。
【００５５】
また、上記実施形態では、制御部１０５が実行するプログラムは、予め記憶部１０３に記憶されていたが、ネットワークを介して記憶部１０３に記憶するようにしてもよい。
【図面の簡単な説明】
【００５６】
【図１】本発明の実施形態に係る携帯端末の構成を示すブロック図である。
【図２】受信再生処理の動作を説明するためのフローチャートである。
【図３】モード変更処理の動作を説明するためのフローチャートである。
【図４】再生形式テーブルの一例を示す図である。
【図５】電子番組ガイドの一例を示す図である。
【図６】ユーザインターフェイスの例を示す図である。
【図７】再生形式テーブルの変形例を示す図である。
【図８】再生形式テーブルの初期値のテーブルを示す図である。
【符号の説明】
【００５７】
１００・・・携帯端末、１０１・・・テレビチューナー部、１０２・・・通信部、１０３・・・記憶部、１０４・・・判別部、１０５・・・制御部、１０６・・・表示部、１０７・・・入力部
【図１】
2007194910.tif 000003
【図２】
2007194910.tif 000004
【図３】
2007194910.tif 000005
【図４】
2007194910.tif 000006
【図５】
2007194910.tif 000007
【図６】
2007194910.tif 000008
【図７】
2007194910.tif 000009
【図８】
2007194910.tif 000010